(57)【要約】      （修正有）【課題】呼吸器系薬送達において、患者のアドヒアランスおよびコンプラアンスを監視するモジュールを提供する。【解決手段】加圧式定量吸入器（ｐＭＤＩ）８００は、ブーツ状ハウジング８３０と、ブーツ状ハウジング内に受けられた薬剤を含む薬剤キャニスタ８２０と、ブーツ状ハウジングの上部に付属し、薬剤キャニスタの上側を隠すトップカバー８１５と、トップカバーの下に位置する監視モジュールとを備える。監視モジュールは、センサポートを備えるＭＥＭＳまたはＮＥＭＳ気圧センサを備える。センサポートは、ｐＭＤＩの流路に通気連結されるように構成されており、流路を通じてユーザは吸入することができる。監視モジュールは、さらに、ＭＥＭＳまたはＮＥＭＳ気圧センサの検出素子からデータを受信するように構成されたプロセッサ、および、データをユーザ装置に送信するように構成された無線トランスミッタ、を備える。【選択図】図８
2020185408.tif 000002
【特許請求の範囲】
【請求項１】
加圧式定量吸入器（ｐＭＤＩ）であって：
ブーツ状ハウジング；
前記ブーツ状ハウジング内に受けられた薬剤を含む薬剤キャニスタ；
前記ブーツ状ハウジングの上部に付属し、前記薬剤キャニスタの上側を隠すトップカバー；および、
前記トップカバーの下に位置する監視モジュール、を備え、
前記監視モジュールは：
センサポートを備えるマイクロエレクトロメカニカルシステム（ＭＥＭＳ）またはナノエレクトロメカニカルシステム（ＮＥＭＳ）気圧センサを備え、前記センサポートは、前記ｐＭＤＩの流路に通気連結されるように構成されており、前記流路を通じてユーザは吸入することができ；さらに、
前記ＭＥＭＳまたはＮＥＭＳ気圧センサの検出素子からデータを受信するように構成されたプロセッサ；および、
前記データをユーザ装置に送信するように構成された無線トランスミッタ、を備える、
ｐＭＤＩ。
【請求項２】
前記監視モジュールは、さらに、配向センサを備え、
前記プロセッサは、さらに、前記配向センサからのフィードバックに基づいて、前記ｐＭＤＩが使用のために準備されたことを判定するように構成されている、
請求項１に記載のｐＭＤＩ。
【請求項３】
前記プロセッサは、前記ＭＥＭＳまたはＮＥＭＳ気圧センサの前記検出素子からの圧力測定値の移動平均から動的ゼロを測定するように構成されている、
請求項１に記載のｐＭＤＩ。
【請求項４】
前記プロセッサは、前記ＭＥＭＳまたはＮＥＭＳ気圧センサの前記検出素子から前記データを受信する前に、風袋圧力値を記録するように構成されている、
請求項１に記載のｐＭＤＩ。
【請求項５】
前記監視モジュールは、さらに、温度センサを備え、
前記プロセッサは、前記温度センサからデータを受信するように構成され、
前記無線トランスミッタは、前記データを前記温度センサから前記ユーザ装置に送信するように構成されている、
請求項１に記載のｐＭＤＩ。
【請求項６】
前記監視モジュールは、前記トップカバーの下側と前記薬剤キャニスタの上端との間に位置している、
請求項１に記載のｐＭＤＩ。
【請求項７】
前記監視モジュールは、前記トップカバーの下側に付けられている、
請求項１に記載のｐＭＤＩ。
【請求項８】
前記データは、前記ｐＭＤＩのユーザの流れプロファイルを含む、
請求項１に記載のｐＭＤＩ。
【請求項９】
前記データは、前記ｐＭＤＩのユーザが１用量の薬剤全部を受けるのに十分な方法で吸入したかを示す、
請求項１に記載のｐＭＤＩ。
【請求項１０】
前記データは、関連するタイムスタンプを有する検出された吸入のデータと前記ｐＭＤＩの作動のインディケーションとを含む、
請求項１に記載のｐＭＤＩ。
【請求項１１】
発光ダイオード（ＬＥＤ）をさらに備え、
前記プロセッサは、前記ＬＥＤを用いてアラートを生成して、前記ｐＭＤＩの投与計画についてのユーザのコンプライアンスの非準拠を示す、または、投与リマインダを前記ｐＭＤＩの前記ユーザに提供するように構成されている、
請求項１に記載のｐＭＤＩ。
【請求項１２】
前記監視モジュールは、１用量の薬剤が前記ｐＭＤＩから計量されるときに作動されるように構成された電子式スイッチをさらに備える、
請求項１に記載のｐＭＤＩ。
【請求項１３】
前記監視モジュールは、さらに、前記ＭＥＭＳまたはＮＥＭＳ気圧センサを低電力状態から立ち上げるように構成されたスイッチを備え、
前記ＭＥＭＳまたはＮＥＭＳ気圧センサは、前記低電力状態から立ち上がった後に風袋値を取得するように構成されている、
請求項１に記載のｐＭＤＩ。
【請求項１４】
システムであって：
プロセッサを備えるユーザ装置；および、
加圧式定量吸入器（ｐＭＤＩ）、を備え、
前記ｐＭＤＩは：
ブーツ状ハウジング；
前記ブーツ状ハウジング内に受けられた薬剤を含む薬剤キャニスタ；
前記ブーツ状ハウジングの上部に付属し、前記薬剤キャニスタの上側を隠すトップカバー；および、
前記トップカバーの下に位置する監視モジュール、を備え、
前記監視モジュールは：
センサポートを備えるマイクロエレクトロメカニカルシステム（ＭＥＭＳ）またはナノエレクトロメカニカルシステム（ＮＥＭＳ）圧力センサを備え、前記センサポートは、前記ｐＭＤＩの流路に通気連結されるように構成されており、前記流路を通じてユーザは吸入することができ；さらに、
前記ＭＥＭＳまたはＮＥＭＳ圧力センサの検出素子からデータを受信するように構成されたプロセッサ；および、
前記データをユーザ装置に送信するように構成された無線トランスミッタ、を備え、
前記ユーザ装置の前記プロセッサは、前記検出素子からの前記データを処理し、前記データに基づいて、上首尾の投与のための１または複数の所定の要件が満たされているかを、判定するように構成されている、
システム。
【請求項１５】
前記ユーザ装置の前記プロセッサは、前記データに基づいて、吸入継続時間が所定の閾値を超えるときに前記上首尾の投与が達成されていると判定するように構成されている、
請求項１４に記載のシステム。
【請求項１６】
前記ユーザ装置の前記プロセッサは、前記データに基づいて、流量が少なくとも所定の閾値継続時間において所定の閾値を超えるときに前記上首尾の投与が達成されていると判定するように構成されている、
請求項１４に記載のシステム。
【請求項１７】
前記ユーザ装置の前記プロセッサは、前記データに基づいて、吸入された総体積が所定の閾値を超えるときに前記上首尾の投与が達成されていると判定するように構成されている、
請求項１４に記載のシステム。
【請求項１８】
前記ユーザ装置の前記プロセッサは、前記データに基づいて、ピーク吸気流量（ＰＩＦ）が所定の閾値を超えるときに前記上首尾の投与が達成されていると判定するように構成されている、
請求項１４に記載のシステム。
【発明の詳細な説明】
【技術分野】
【０００１】
本願は、２０１４年８月２８日付けで出願されたタイトル「吸入器用のコンプライアンス監視モジュール」の米国特許出願第６２／０４３，１１４の優先権を主張するものであり、その内容は参照によって本願に完全に組み込まれる。
【０００２】
本開示は、吸入器を経由した薬剤投与に対する患者のコンプライアンスの監視に関する。特に、本開示は、吸入器内のコンプライアンス監視用の小型圧力センサの使用に関する。
【背景技術】
【０００３】
吸入器またはプッファー（手動作動式吸入器）は、肺を経由して体内に薬剤を送達するために用いられる。これらは、例えば喘息や慢性閉塞性肺疾患（ＣＯＰＤ）の治療に用いることができる。吸入器のタイプは、定量吸入器（ＭＤＩｓ）、噴霧吸入器（ネブライザイザー）、および、ドライパウダー吸入器（ＤＰＩｓ）を含む。
【０００４】
ＭＤＩｓは、３つの主要な要素を含む：製剤が存在する、一般的にはアルミニウムまたはステンレス鋼であるキャニスタ；一回分の計量された量の製剤が一作動毎に投与されるようにする計量バルブ；および、患者が装置を作動できるようにしかつエアロゾル化された薬を患者の肺へ導くアクチュエータ（またはマウスピース）。製剤それ自体は、薬、液化ガスプロペラント、および、多くの場合、安定化賦形剤からなる。アクチュエータは、嵌合放出ノズルを含み、さらに、一般的には、汚染を防止するためのダストキャップを含む。吸入器を使用するために、患者は、親指でアクチュエータの下部を支持しながらキャニスタの上端を押し下げる。装置の作動は、プロペラント中で溶けたまたは懸濁した薬剤を含む１回分の計量された用量の製剤を放出する。揮発性のプロペラントが液滴に分解し、続いてこれらの液滴が急速に蒸発することにより、マイクロメートルサイズの薬剤粒子からなるエアロゾルが生成され、これがその後吸引される。
【０００５】
ジェット噴霧吸入器は、アトマイザーとしても知られており、管材によってコンプレッサに接続され、当該コンプレッサは、圧縮された空気または酸素が液薬中を高速で流れるようにし、それを、その後に患者によって吸引されるエアロゾルにする。ジェット噴霧吸入器は、一般的に、呼吸器疾患や重度の喘息の発作といった深刻な場合のように、他の吸入器を使用するのが難しい入院患者のために使用される。
【０００６】
ＤＰＩｓは、ドライパウダーの形式で薬剤を肺へ送達する。ＤＰＩｓは、一般的に、喘息、気管支炎、気腫、およびＣＯＰＤのような呼吸器疾患を治療するために使用される。ＤＰＩｓは、１回分の測定された用量のパウダーを患者が服用できる状態にするためにいくつかの手順を必要とすることがある。薬剤は、一般的には、手動装填のためにカプセル中に保持される、または、吸入器内部のホッパー／リザーバ中に保持される。一旦、装填または作動されると、患者は吸入器のマウスピースを口に入れて、深く吸入し、５−１０秒間呼吸止める。
【０００７】
呼吸器系薬送達において直面する共通の問題は、用いられる装置に関わらず、どのようにして患者のアドヒアランスおよびコンプラアンスを監視するかである。
【０００８】
アドヒアランスは、例えば１日あたりに処方された回数の用量を服用しているといったように、調剤ラベルに従って患者を取り扱う。処方箋が１日あたり２用量を要求し、患者が１日に２用量を服用しているなら、それは１００％のアドヒアラントとされる。患者が１日に１用量だけしか服用していないなら、それは５０％のアドヒアラントにすぎない。後者の場合、患者は、医者により処方された治療を得ていない。
【０００９】
コンプライアンスは、一方、患者が薬剤送達装置をどのように用いているかに関する。効果的な治療のために推奨された方法で用いられているなら、それは１００％のコンプライアントである。適切に用いられていないなら、それは１００％未満のコンプライアントである。
【００１０】
一例として、ｐＭＤＩを処方された患者を考える。多くのこのような装置は、使用前に、薬剤キャニスタ内で薬とプロペラントとが適切に混合されるように、当該キャニスタが振られることを要求する。これは、薬剤がプロペラントから分離して上方にフロートする（即ち、クリーム）現象である、使用と使用との間に生じるいわゆる“クリーミング効果”を克服する。振らなければ、患者は推奨された用量より少ない薬剤を受けることになるであろう。ｐＭＤＩ装置のもう一つの問題は、薬剤が実際に肺へ送達されることを保証するために必要とされる、コーディネートされた手／呼吸の手順である。当該要件は、１）吸入し、それから吸入を継続している間、２）キャニスタを押し下げて薬剤を投与し、続いて、３）吸入を継続し、最後に、４）短期間呼吸を止める、ことを伴う。この最後のステップは、薬の“沈殿”が肺内で生じるために重要である。吸入中の流量（流速）は、薬が効果的に送達されるためにある最小閾値を越える必要がありうる。たくさんの患者にとって、このようなマルチステップのプロセスに対するコンプライアンスは簡単ではない、というのも、彼らは手順について熟知しておらず、また、例えば子どもや年配の場合、実行するのが難しいとわかっているからである。
【００１１】
別の例として、多くのＤＰＩｓは、装置からパウダーを取り込み、次いでパウダーを肺に達するのに十分に小さい粒子に分解するための患者の吸入の力に依存する。この理由のため、不十分な患者の吸入流量は、減少された用量送達およびパウダーの不完全な脱凝集をもたらし、不満足な治療結果をもたらすかもしれない。さらに、ユーザが装置内に息を吐くと、用量のいくらかが周囲の空気へ失われうる。これは、患者へ送達される用量を、十分にコンプライアンスに準拠できないほどに減少させ、さらに、周辺の者に対して、彼らが処方されていない薬を彼らにさらしてしまうことにより、リスクをもたらしうる。
【００１２】
医者が薬剤を処方するとき、治療の効き目は、患者が装置を適切にかつ各日に適切な回数使用することに完全に依存する。患者は、そうすることができないなら、コンディションの改善を感じられない虞がある。患者のアドヒアランス／コンプライアンスを確かめる手段がなく、改善が見られない患者に直面すると、医者は、より強い用量を処方し、または、より強い薬剤を処方するしかなくなるであろう。時として、これは患者を危険にさらすかもしれない。患者が処方された薬剤を実際に摂取していることを確認する何らかの方法を医者が有しているならば、これは回避されうる。
【００１３】
ある製薬会社によるアプローチは、薬剤送達製品に一体型用量カウンタ（ドーズカウンタ）を付加することである。例えば、用量カウンタは、作動ボタンを押すことや、キャップまたはカバーを開くことによって始動される。これは、患者や世話人に、装置が操作されたことの客観的な証拠を提供する一方、依然として何のコンプライアンス情報も提供することはできない。ユーザが全用量を吸入しているかを判定する方法はない。かくして、アドヒアランス情報だけでなくコンプライアンス情報も提供する製品の必要性がある。
【００１４】
肺活量計は、患者の肺によって吸われおよび吐かれた空気の体積を測定するための装置である。肺活量計は、通気、つまり肺へのおよび肺からの空気の移動を測定する。肺容量曲線として知られ、肺活量計によって出力された記録波形から、異常な（閉塞性または拘束性のある）通気パターンを識別することができる。既存の肺活量計は、圧力変換器、超音波および水ゲージを含む様々な異なる測定方法を用いる。
【００１５】
呼吸と関連する流れを監視するために、圧力センサが最も便利である、というのも、圧力情報は、流れを測定するために用いることができ、その後に体積を測定するために用いることができるからである。
【００１６】
呼吸検出のために用いられる圧力センサは、一般的に、患者の気道の一部分にわたる圧力差を測定する。これは、一般的には、管材や他の適切な導管によって、センサを気道に接続する２つの接続を用いて行なわれる。他方のポートを大気へ開放して、気道への単一の接続を用いることもできる。気道内の圧力が、流れが適用される前および後の双方で測定されるのであれば、シングルポートゲージタイプのセンサが用いられてもよく、測定値の差は、空気経路抵抗にわたる所望の圧力降下を示す。しかしながら、最初の測定値（流れなしの測定値）に関連する不確実性は一般的に高い。
【００１７】
従来の圧力センサの別の問題は、熱ドリフトである；圧力測定値が局所温度の変化で経時的に変化しうる現象である。追加の回路を用いて当該ドリフトを補償することができるが、これはコストおよび体積を増やし、必要電力を増加させる。当該回路は、圧力センサ自体内に位置されてもよいが、センサは一般的に測定されているガスからいくらか離されていることを考慮すると、検出された温度は、そのガスを表すものにならないかもしれない。温度監視回路が、患者に置かれてもよいが、これはさらなる構成要素を追加し、コストおよび複雑性を増加させる。
【００１８】
従来の圧力センサのさらに別の問題は、高周波（ＲＦ）暴露に対しての影響の受けやすさである。これは、携帯電話のようなラジオトランスミッタに接近させて作動させたときに、実際に問題になりうる。他の潜在源は、ＷｉＦｉルーターやコードレス電話のような無線通信装置、および、無線ネットワークプリンタのような他の様々な形式の情報技術（ＩＴ）装備を含む。
【００１９】
従来の圧力センサの別の問題は、ヒステリシスであり、変形後に、その元の形態、形状、または位置に戻るダイアフラムのような圧力検出材料のリラクタンスである。これは、異なる方向から（目標圧力の上方または下方のどちらかから）同じ圧力を通過するときに出力の差異として観測される。非常に低い圧力変化を取り扱うとき、このようなオフセットは、測定されている信号を隠すほど十分に大きくなりうる。
【００２０】
コンプライアンス監視の新規な方法が以下で記載される。
【発明の開示】
【００２１】
第１の態様によれば、吸入器用のコンプライアンス監視モジュールが備えられ、該モジュールは：小型圧力センサを備え、該センサのセンサポートは、前記吸入器の流路に通気連結（空気的に連結）されるように構成され、該流路を通じてユーザは吸入することができ；プロセッサを備え、該プロセッサは：圧力センサの検出素子からデータを受信し；吸入器が非アクティブモードからアクティブモードへ変化するときを検出するように構成されたモードセンサからのデータを受信し；そして、前記圧力センサの検出素子からの前記データおよび前記モードセンサからの前記データに基づいて、コンプライアンスレポートを編集するように構成されており；および、トランスミッタを備え、当該トランスミッタは、前記コンプライアンスレポートを発するように構成されている。小型圧力センサは、マイクロエレクトロメカニカルシステム（ＭＥＭＳ）圧力センサまたはナノエレクトロメカニカルシステム（ＮＥＭＳ）圧力センサでよい。
【００２２】
前記モードセンサは、配向センサでよい。前記モードセンサは、吸入器が使用のために準備された（準備が完了された）ことを判定する手段でもよい。前記モードセンサは、加速度計、ジャイロスコープ、機械式スイッチ、光学センサ、ホール効果センサ、マイクロフォン、温度センサ、および、追加の圧力センサのうちの１つでよい。
【００２３】
モードセンサが加速度計またはジャイロスコープであれば、前記プロセッサは、さらに前記加速度計または前記ジャイロスコープを用いて前記吸入器の配向を測定するように構成されてよい。
【００２４】
モードセンサが加速度計であり、吸入器がジェット噴霧吸入器であれば、前記プロセッサは、さらに、吸入器のコンプレッサが起動されていることを、前記加速度計から受信されたデータに基づいて測定するように構成されてよい。
【００２５】
モードセンサが加速度計であり、吸入器がカプセル内に保持されたドライパウダー薬剤を受けるように構成されたドライパウダー吸入器（ＤＰＩ）であれば、前記プロセッサは、さらに、カプセルがチャンバ内で開かれ、及び／又は、振動され／回転されたことを、前記加速度計から受信されたデータに基づいて測定するように構成されてもよい。
【００２６】
コンプライアンス監視モジュールは、使用中の吸入器内に完全に位置されるように構成されてよい。
【００２７】
代わりに、コンプライアンス監視モジュールは、使用中の吸入器の外側に少なくとも部分的に位置されるように構成されてよい。
【００２８】
コンプライアンス監視モジュールは、前記センサポートを前記流路に通気連結するために構成されたキャピラリーチューブをさらに備えてよい。
【００２９】
前記キャピラリーチューブは、センサポートと流路との間にシールを備え、前記シールは流路からセンサポートへ圧力を伝達するように構成されてよい。
【００３０】
吸入器は、加圧式定量吸入器（ｐＭＤＩ）でよい。
【００３１】
前記流路は、吸入器のブーツと少なくとも部分的にその中に受けられたガスキャニスタとの間の隙間でよい。
【００３２】
コンプライアンス監視モジュールは、使用中に最上となる吸入器の垂直な外縁に取り付けられるように構成されてよい。コンプライアンス監視モジュールは、さらに、該モジュールを吸入器に留めるためのへりを備え、前記した通気連結が、前記へりと、前記吸入器のブーツの最も外側の壁の内面との隙間を経由するように構成されてよい。
【００３３】
吸入器は、ジェット噴霧吸入器でよい。
【００３４】
コンプライアンス監視モジュールは、使用中に患者から見て実質的に外方に向く吸入器の外面に取り付けられるように構成されてよい。
【００３５】
コンプライアンス監視モジュールは、投与（投薬）が完了したことを示すためのユーザインターフェースを備えてよい。
【００３６】
プロセッサは、さらに、前記圧力センサの前記検出素子からの前記データから、噴霧吸入器に残っている液状薬剤の液位を測定するように構成されてよい。
【００３７】
吸入器は、ドライパウダー吸入器（ＤＰＩ）でよい。
【００３８】
前記ＤＰＩは、カプセル中に保持されたドライパウダー薬剤を受けるように構成されてよい。
【００３９】
前記プロセッサは、さらに、上首尾の（成功した）投与のための１または複数の所定の要件が満たされているかを、小型圧力センサから受信された前記データから判定するように構成されてよい。前記１または複数の要件は：所定の閾値を越える流量；所定の閾値を越える吸入継続時間；少なくとも所定の閾値継続時間において所定の閾値を越える流量；所定の閾値を越える吸入された総体積；および、所定の閾値を超えるピーク吸気流量（ＰＩＦ）；のうち１または複数を備えてよい。
【００４０】
モジュールは、ユーザにより作動される投与機構のプライミングのための手段を備える吸入器で使用されるように構成されてよい。
【００４１】
前記トランスミッタは、無線でよい。
【００４２】
圧力センサ、プロセッサ、および、トランスミッタの任意の２つ以上が、単一の集積回路またはシステムオンチップ（ＳｏＣ）に備えられてよい。
【００４３】
モジュールは、前記流路をさらに備えてよく、前記圧力センサは、流路の内部に位置されており、前記圧力センサは任意で流路の内壁の凹部内に位置されている。
【００４４】
モジュールは、前記流路をさらに備えてよく、前記圧力センサは、流路の外部に位置されており、そして、前記センサポートは、流路の壁の開口を経由して流路に通気連結されている。
【００４５】
モジュールは、センサポートを前記開口に通気連結するように配置されたシールをさらに備え、前記シールの少なくとも一部は、任意で、圧力センサと壁との間に挟まれており、前記シールの少なくとも一部は、任意で、前記壁の外面から、圧力センサが取り付けられる面までのびて、壁に隣接する空気チャンバ内に圧力センサを包囲する。
【００４６】
前記壁および前記シールは、二段階成形工程によって形成されてよい。
【００４７】
モジュールは、さらに、圧力センサと壁との間に挟まれた熱伝導ガスケットをさらに備えてよく、前記熱伝導ガスケットは、任意で、シールとして機能する。
【００４８】
モジュールは、前記センサポートを前記流路から分離する通気性、非通水性フィルタをさらに備えてよい。
【００４９】
圧力センサは、金属製のハウジングを備えてよい。
【００５０】
圧力センサは、ＭＥＭＳ気圧センサでよい。当該センサは、ピエゾ抵抗素子または容量ＭＥＭＳ圧力センサでよい。
【００５１】
前記プロセッサは、前記圧力センサに備えられてよい。
【００５２】
モジュールは、圧力センサの検出素子から受信されたデータを格納するように構成されたデータバッファをさらに備えてよい。前記データバッファは、任意で、圧力センサ内に備えられてよい。前記データバッファは、１つの吸入／吐出の波形に対応するデータを格納するように構成されてよい。前記データバッファは、先入れ先出し（ＦＩＦＯ）データバッファでよい。
【００５３】
モジュールは、環境気圧活動を監視するために構成された追加のＭＥＭＳ気圧センサをさらに備えてよい。
【００５４】
トランスミッタは、圧力センサから及び／又は圧力センサに、データを通信するように構成されたトランシーバに備えられてよい。トランスミッタは、無線でよい。前記無線トランスミッタは、Ｂｌｕｅｔｏｏｔｈ（登録商標）サブシステム、任意で、Ｂｌｕｅｔｏｏｔｈ（登録商標） Ｌｏｗ Ｅｎｅｒｇｙ（ＢＬＥ）集積回路またはシステムオンチップ（ＳｏＣ）でよい。
【００５５】
圧力センサ及び／又はトランスミッタは、プリント回路基板（ＰＣＢ）に取り付けられてよい。
【００５６】
モジュールは、圧力センサに電力を供給するように配置されたバッテリ、任意でコイン型電池をさらに備えてよい。
【００５７】
圧力センサは、２０パスカルまたはそれ未満の感度を有してよい。
【００５８】
圧力センサは、検出素子を備えてよい。プロセッサは、１００Ｈｚ以上の周波数で前記検出素子をポーリングするように構成されてよい。
【００５９】
モジュールは、圧力センサのスイッチを入れるための及び／又は圧力センサを低電力状態から起ち上げるための制御手段をさらに備えてよい。
【００６０】
前記制御手段は、機械式スイッチ、光学センサ、加速度計、またはホール効果センサでよい。プロセッサは、前記検出素子から風袋値を取得し、その後に前記風袋値を用いて検出素子から受信されたデータを較正することによって、前記制御手段が圧力センサのスイッチを入れ及び／又は圧力センサを立ち上げることに応答するように構成されてよい。
【００６１】
プロセッサは、圧力センサによって測定値の移動平均から動的ゼロを測定し、圧力センサを前記動的ゼロに従って動的に較正するように構成されてよい。
【００６２】
プロセッサは、圧力センサの検出素子から受信されたデータにおける圧力センサに固有の電気的ノイズ及び／又は環境異常を除去するように構成されてよい。
【００６３】
モジュールは、温度センサを、任意で圧力センサと一体化された温度センサをさらに備えてよい。プロセッサは、任意で圧力センサおよび温度センサのどちらか１つに備えられてよく、温度センサの検出素子から受信されたデータから測定された温度補償を、圧力センサの検出素子から受信されたデータに適用してよい。
【００６４】
吸入器は、マウスピースをさらに備え、前記センサポートは、前記マウスピースと通気連通して流路に通気連結されてよい。
【００６５】
第２の態様によれば、第１の態様のモジュールを備える吸入器の附属品が備えられ、該附属品は吸入器に接続されて、前記センサポートが、前記吸入器のマウスピースと通気連通して流路に通気連結される。
【００６６】
第３の態様によれば、第１の態様のコンプライアンス監視モジュールを備える吸入器が備えられる。
【００６７】
第４の態様によれば、吸入器の使用のコンプライアンスを監視するための方法が備えられ、当該方法は：吸入器が非アクティブモードからアクティブモードに変化するときを検出するように構成されたモードセンサからデータを受信し；小型圧力センサの検出素子からデータを受信し、前記圧力センサのセンサポートは、前記吸入器の流路に通気連結されるように構成されており、該流路を通じてユーザは吸入することができ；前記圧力センサの前記検出素子からの前記データおよび前記モードセンサからの前記データに基づいて、コンプライアンスレポートを編集し；そして、前記コンプライアンスレポートを発する。
【００６８】
小型圧力センサは、マイクロエレクトロメカニカルシステム（ＭＥＭＳ）圧力センサ、または、ナノエレクトロメカニカルシステム（ＮＥＭＳ）圧力センサでよい。圧力センサは、ＭＥＭＳ気圧センサでよい。当該センサは、ピエゾ抵抗素子または容量ＭＥＭＳ圧力センサでよい。
【００６９】
吸入器が、ジェット噴霧吸入器であれば、前記方法は、吸入器内に残っている液状薬剤の液位を、前記圧力センサの検出素子から、測定するステップをさらに備えてよい。
【００７０】
モードセンサが、加速度計またはジャイロメータであれば、前記方法は、前記吸入器の配向を、前記加速度計または前記ジャイロスコープを用いて測定するステップをさらに備えてよい。
【００７１】
モードセンサが、加速度計または追加の圧力センサであり、吸入器が、ジェット噴霧吸入器あれば、前記方法は、吸入器のコンプレッサが起動されたことを、前記加速度計または前記追加の圧力センサを用いて判定するステップをさらに備えてよい。
【００７２】
モードセンサが加速度計であり、吸入器がカプセル内に保持されたドライパウダー薬剤を受けるように構成されたドライパウダー吸入器（ＤＰＩ）であれば、前記方法は、カプセルがチャンバ内で開かれた、及び／又は、振動され／回転されたことを、前記加速度計を用いて、判定するステップをさらに備えてよい。
【００７３】
前記モードセンサは、配向センサでよい。前記モードセンサは、吸入器が使用のために準備されたことを判定する手段を備えてよい。前記モードセンサは：加速度計、ジャイロスコープ、機械式スイッチ、光学センサ、ホール効果センサ、マイクロフォン、および、温度センサのうちの１つでよい。
【００７４】
方法は、吸入器によって完全に実施されてよい。
【００７５】
代わりに、方法は、吸入器の外部の装置によって、少なくとも部分的に実施されてよい。
【００７６】
前記センサポートを前記流路に通気連結するために構成されたキャピラリーチューブがあってよい。
【００７７】
前記キャピラリーチューブは、センサポートと流路との間にシールを備えてよく、前記シールは、流路からセンサポートへ圧力を伝達するように構成される。
【００７８】
吸入器は、加圧式定量吸入器（ｐＭＤＩ）でよい。
【００７９】
前記流路は、吸入器のブーツと少なくとも部分的にその中に受けられたガスキャニスタとの間の隙間でよい。
【００８０】
方法は、使用中に最上となる吸入器の垂直な外縁に取り付けられたモジュールによって実施されてよい。前記モジュールは、該モジュールを吸入器に留めるためのへりをさらに備え、当該ヘリは、前記通気連結が、前記へりと前記吸入器のブーツの最も外側の壁の内面との隙間を経由するように構成されてよい。
【００８１】
吸入器は、ジェット噴霧吸入器でよい。方法は、使用中に患者から見て実質的に外方を向く吸入器の外面に取り付けられたモジュールによって実施されてよい。
【００８２】
方法は、ユーザインターフェースを経由して、投与が完了したことを示すステップを備えてよい。
【００８３】
前記方法は、吸入器内に残っている液状薬剤の液位を、前記圧力センサの前記検出素子からの前記データから測定するステップをさらに備えてよい。
【００８４】
前記吸入器は、ドライパウダー吸入器（ＤＰＩ）でよい。
【００８５】
前記ＤＰＩは、カプセル内に保持されたドライパウダー薬剤を受けるように構成されてよい。
【００８６】
前記方法は、上首尾の投与のための１または複数の要件が満たされているかを前記圧力センサから受信された前記データから判定するステップをさらに備えてよい。前記１または複数の要件は：所定の閾値を越える流量；所定の閾値を越える吸入継続時間；少なくとも所定の閾値継続時間において所定の閾値を越える流量；所定の閾値を越える吸入された総体積；および、所定の閾値を超えるピーク吸気流量（ＰＩＦ）；のうち１または複数を含んでよい。
【００８７】
前記吸入器は、ユーザにより作動される投与機構のプライミングのための手段をさらに備えてよい。
【００８８】
前記コンプライアンスレポートを発することは、無線送信によるものでよい。
【００８９】
圧力センサ、プロセッサ、および、トランスミッタのうちの任意の２つ以上が、単一の集積回路内にまたはシステムオンチップ（ＳｏＣ）内に備えられてよい。
【００９０】
圧力センサは、流路の内部に位置されてよく、前記圧力センサは、任意で流路の内壁の凹部内に位置されている。
【００９１】
圧力センサは、流路の外部に位置されてよく、前記圧力センサは、流路の壁の開口を経由して流路に通気連結されてよい。
【００９２】
シールが、センサポートを前記開口に通気連結するように配置されてよく、前記シールの少なくとも一部は、任意で、圧力センサと壁との間に挟まれており、前記シールの少なくとも一部は、任意で、前記壁の外面から、圧力センサが取り付けられる面までのびて、壁に隣接する空気チャンバ内に圧力センサを包囲する。
【００９３】
前記壁および前記シールは、二段階成形工程によって形成されてよい。圧力センサと壁との間に挟まれた熱伝導ガスケットがあってよく、前記熱伝導ガスケットは、任意で、シールとして機能する。
【００９４】
前記センサポートを前記流路から分離する通気性、非通水性フィルタがあってよい。
【００９５】
圧力センサは、金属製のハウジングを備えてよい。
【００９６】
圧力センサは、ＭＥＭＳ気圧センサでよい。当該センサは、ピエゾ抵抗素子または容量ＭＥＭＳ圧力センサでよい。
【００９７】
前記プロセッサは、前記圧力センサに備えられてよい。
【００９８】
方法は、センサの検出素子から受信されたデータをデータバッファに格納するステップをさらに備えてよい。前記データは、１つの吸入／吐出の波形に対応するものでよい。前記データバッファは、任意で、圧力センサ内に備えられてよい。前記データバッファは、先入れ先出し（ＦＩＦＯ）データバッファでよい。
【００９９】
前記方法は、環境気圧活動を、追加のＭＥＭＳ気圧センサを用いて監視するステップ；および、前記流路に通気連結されたセンサポートを有する前記センサを、前記追加のセンサと対比して較正するステップをさらに備えてよい。
【０１００】
前記コンプライアンスレポートを発することは、無線送信によるものでよい。前記無線送信は、Ｂｌｕｅｔｏｏｔｈ（登録商標）プロトコル、任意で、Ｂｌｕｅｔｏｏｔｈ（登録商標） Ｌｏｗ Ｅｎｅｒｇｙ（ＢＬＥ）プロトコルでよい。
【０１０１】
前記コンプライアンスレポートを発することは、圧力センサから及び／又は圧力センサへデータを通信するように構成されたトランシーバ内に備えられたトランスミッタによるものでよい。トランスミッタは、無線でよい。前記無線トランスミッタは、Ｂｌｕｅｔｏｏｔｈ（登録商標）サブシステム、任意で、Ｂｌｕｅｔｏｏｔｈ（登録商標） Ｌｏｗ Ｅｎｅｒｇｙ（ＢＬＥ）集積回路またはシステムオンチップ（ＳｏＣ）でよい。
【０１０２】
圧力センサ、及び／又は、トランスミッタは、プリント回路基板（ＰＣＢ）に取り付けられてよい。
【０１０３】
圧力センサは、バッテリ、任意でコイン型電池によって電力の供給を受けてよい。圧力センサは、２０パスカルまたはそれ未満の感度を有してよい。
【０１０４】
圧力センサは、検出素子を備えてよい。方法は、１００Ｈｚ以上の周波数で前記検出素子をポーリングするステップを備えてよい。
【０１０５】
前記方法は、制御手段を用いて、圧力センサのスイッチを入れ、及び／又は、圧力センサを低電力状態から立ち上げるステップをさらに備えてよい。
【０１０６】
前記制御手段は、機械式スイッチ、光学センサ、加速度計、または、ホール効果センサでよい。方法は、前記制御手段が圧力センサのスイッチを入れ及び／又は圧力センサを立ち上げることに応答して、前記検出素子から風袋値を取得し、その後に前記風袋値を用いて検出素子から受信されたデータを較正するステップをさらに備えてよい。
【０１０７】
方法は、圧力センサによって測定値の移動平均から動的ゼロを測定し、そして、圧力センサを前記動的ゼロに従って動的に較正するステップをさらに備えてよい。
【０１０８】
方法は、圧力センサの検出素子から受信されたデータにおける圧力センサに固有の電気的ノイズ及び／又は環境異常を除去するステップをさらに備えてよい。
【０１０９】
方法は、温度センサの検出素子から受信されたデータを用いて、温度補償を圧力センサの検出素子から受信されたデータに適用するステップをさらに備えてよい。
【０１１０】
吸入器は、マウスピースをさらに備えてよく、前記センサポートは、前記マウスピースと通気連通して、流路に通気連結されている。
【０１１１】
方法は、吸入器のユーザによって吸入または吐出された空気の体積を、センサの検出素子によって検出されたデータから測定するステップをさらに備えてよい。
【０１１２】
第５の態様によれば、第４の態様の方法を実施するコンピュータプロセッサによる実行用の指示を備えるコンピュータプログラム製品が備えられる。
【０１１３】
第６の態様によれば、添付の図面を参照してここで実質的に記載されるようなコンプライアンス監視モジュールが備えられる。
【０１１４】
第７の態様によれば、添付の図面を参照してここで実質的に記載されるような吸入器の付属品が備えられる。
【０１１５】
第８の態様によれば、添付の図面を参照してここで実質的に記載されるような吸入器が備えられる。
【０１１６】
第９の態様によれば、添付の図面を参照してここで実質的に記載されるような方法が設けられる。
【０１１７】
第１０の態様によれば、添付の図面を参照してここで実質的に記載されるようなコンピュータプログラム製品が備えられる。
本発明の例示は、添付の図面を参照して以下で記載される。
【図面の簡単な説明】
【０１１８】
【図１】呼吸検出用の小型圧力センサのための配置例を流路と関連付けて示す。
【図２】呼吸検出用の小型圧力センサのための配置例を流路と関連付けて示す。
【図３】呼吸検出用の小型圧力センサのための配置例を流路と関連付けて示す。
【図４】呼吸検出用の小型圧力センサのための配置例を流路と関連付けて示す。
【図５】呼吸検出用の小型圧力センサのための配置例を流路と関連付けて示す。
【図６】一例に係るセンサ電子機器の回路図である。
【図７】吸入器中のコンプライアンスモジュールの構成例を示す。
【図８】吸入器中のコンプライアンスモジュールの構成例を示す。
【図９】吸入器中のコンプライアンスモジュールの構成例を示す。
【図１０】吸入器中のコンプライアンスモジュールの構成例を示す。
【図１１】吸入器中のコンプライアンスモジュールの構成例を示す。
【図１２】吸入器中のコンプライアンスモジュールの構成例を示す。
【図１３】一例に係るコンプライアンス監視方法を示すフローチャートである。
【図１４】図１４Ａおよび図１４Ｂは、テストデータを示すグラフである。
【０１１９】
図中に示される構成要素は正寸ではなく、働きを示すだけにすぎない。同様の構成は、同様の参照符号によって示される。
【０１２０】
上記で述べたような、差分（２ポート）タイプの圧力センサや、使用前および使用後のそれぞれで測定がなされるシングルポートゲージタイプのセンサに加えて、絶対圧または気圧センサを利用することができる。
【０１２１】
気圧センサは、真空を参照する。高度は気圧測定値から推測することができるので、これらはときに高度計とも呼ばれる。このタイプのセンサは、その極端に広いレンジ（２０から１１０ｋＰａ）および低い分解能ゆえに、呼吸検出での使用が一般的に考慮されていない。どのように典型的な呼吸プロファイルがたった０．２ｋＰａのオーダーの圧力変化を生じさせうるかを考慮すると、これは、その作動レンジの極端に狭い部分に渡りセンサを作動させることを要求するであろう。
【０１２２】
しかしながら、ＭＥＭＳおよびＮＥＭＳの技術の導入を含む小型化により、さらに改良されたセンサを現在利用することができる。典型的なＭＥＭＳ気圧センサは、２０ｋＰａから１１０ｋＰａまで作動する能力を有しており、そして、既知の流体抵抗を有する流れ経路に通気連結されているとき、３０ｌｐｍ（リッター／分）未満の流量を検出することができる。
【０１２３】
気圧センサを使用することで、気圧を、測定サイクルを通じたベースラインとして用いることができ、それによって、他のシングルポートのアプローチの不確実性に対処することができる。
【０１２４】
また、局所の気圧の知識を有することで、患者の肺機能への洞察を提供することができる。大気圧の変化が、例えば接近する暴風雨前線と関連するようなそれが、おそらく喘息やＣＯＰＤの事象にすら関連する患者の呼吸に影響を与えるかは疑わしい。気圧センサは、すでに圧力が加えられた状態であり、装置内において真空下でシールされた内蔵の参照ポートを有している。これは、これらが関心領域で低いヒステリシスを有するこということである。それらの検出素子の極端に小さいサイズと質量により、ＭＥＭＳセンサは、極端に小さい圧力変化に対して反応することができる。１Ｐａほどの低い圧力変化を分析できるものもある。
【０１２５】
ＭＥＭＳ圧力センサは、必須のアナログ回路の全てをセンサパッケージ内に含んでよい。温度補正及び／又はデジタルインターフェースは、圧力センサに組み込まれてもよい。
【０１２６】
例えば、ＦｒｅｅｓｃａｌｅＭＰＬ３１１５Ａ２ＭＥＭＳ気圧計／高度計チップ（圧力センサ）は、デジタルであり、圧力情報をホストマイクロコンピュータへ通信するＩ＜２＞Ｃインターフェースを使用する。
【０１２７】
ＭＥＭＳ圧力センサは、金属内に包まれてよい。これは、ＲＦ遮蔽、および、温度補償に対する良好な熱伝導性を提供する。
【０１２８】
ＭＥＭＳ圧力センサは、また、ローコストであり、低電力消費を示し、とても小さい。これは、これらを、例えばコイン型電池のようなバッテリによって電力供給されるような、持ち運び可能及び／又は使い捨て可能な装置での使用に特に適したものにする。
【０１２９】
ＭＥＭＳ圧力センサの小さいサイズにより、これらを既存の設計の吸入器に組み込むことが容易になる。これらをマウスピース内またはマウスピースに隣接して組み込んで、患者の吸入または吐出によりもたらされる圧力変化をより正確に測定することがより容易になるであろう。
【０１３０】
いくらかの装置の設計では、小型気圧センサは、あらゆる種類の管材を必要としない空気の経路への小さな穴だけを用いて、患者の気道に直接的に接続されてよい。これは、エラストマー管材に関連する結露および潜在的な細菌繁殖の可能性を最小限にする。汚染から検出素子を保護する、例えばジェルシールのような内部シールが含まれてよい。
【０１３１】
このタイプの配置例が図１に示されている。小型気圧センサ１１０が、流路１２０に向けて配置されており、該流路を通じて患者は呼吸する。気流は、実質的に、矢印１３０によって示される軸方向となる。センサポート１１１は、空気（気密）シール１４０によって流路壁１２２の開口１２１と一直線になるようにシールされている。（センサポートと流路との間の通気接続がある限り、当該シールが完全に気密である必要はない。）。センサポート１１１は、任意で、フィルタを、例えば通気性、非通水性のフィルタを備える。流路およびシールは、二段階成形工程によって形成されてよい。圧力センサ１１０は、電源および他の電子機器への接続を提供するプリント回路基板（ＰＣＢ）に取り付けられてよい。シール１４０を開口１２１とセンサポート１１１との間の通路の周りに配置する代わりに、小型センサ全体が、図２に示される通り、流路に隣接するチャンバ内に包囲されてよい。空気シール２４０は、センサ設置面の外側に位置され、流路壁２２２の外面から、センサ２１０が取り付けられる面２５０（例えばＰＣＢの構成要素の面）まで、ずっとのびている。図２は、断面を示し；空気シール２４０は、円形状、正方形状、長方形や他の任意の形状であってよく、センサ２１０の周囲を囲む。シール２４０、センサ取付面２５０、及び、流路壁２２２は、したがって、開口２２１の位置においての流路を除いて外部環境から通気不能に隔離された空洞を形成する。センサポート２１１における圧力は、したがって、開口２２１における流路内の圧力と等しい。
【０１３２】
ＭＥＭＳセンサは、内蔵された温度補償を利用することができるので、外部温度センサを使用しなくてもよい。補償は測定位置で正しくなされ、補償の正確さは増加する。温度補償内蔵のＭＥＭＳセンサは、小型呼吸温度計として機能することもでき、追加の情報を患者及び／又はその世話人へ提供する。センサのハウジングが金属であるなら、感度の高い内部回路が、ＲＦ場、例えば携帯電話や近くの外乱と関連するそれから隔てられるだけでなく、センサは、最適な温度補償を提供するために、迅速に局所の温度と平衡になるであろう。
【０１３３】
図１および図２の実施形態では、小型センサは、空気隙間によって流路壁から離されている。流路の温度の変化を迅速に検出する小型センサの能力を改善するために、熱伝導ガスケットが図３に示されるように使用されてよい（図３は、他の点では図２と同様である）。
【０１３４】
図３の配置例では、トランジスタヒートシンク用のシリコンタイプのような熱伝導ガスケット３６０が、小型センサ３１０の（任意で金属製の）ハウジングと、流路壁３２２との間に設けられる。ガスケットによってカバーされた隣接表面積が大きい程、温度平衡がより素早くなる。ガスケット３６０は、したがって、流路壁３２２を向くセンサ３１０の面全体に実質的にわたってのびてよい。
【０１３５】
図４は、配置例を示すものであり、熱伝導ガスケット４６０は、非通気性材料からなり、センサ４１０の表面の輪郭と流路壁４２２に対して歪み、これらの間で圧縮される。これは、したがって、良好な熱接続を提供し、同時に空気シールとして機能し、別のシール要素の必要性を除去する。
【０１３６】
センサを流路に隣接して配置することに対しての代替案は、図５に示される通り、センサ全体を、監視される装置の低圧力気道内に配置することである。例えば、センサは、ＤＰＩの本体内または加圧式定量吸入器（ｐＭＤＩ）の“ブーツ”内に配置されてよい。（“ブーツ“という用語は、一般的に薬キャニスタを保持する吸入器の本体を言う。）。この配置では、センサは、気流自体の圧力（および任意で温度）を本当に測定し、改善された正確さを提供する。したがって、流路５２０とセンサポート５１１との間の空気導管を作るシール要素の、または、これらの間での熱平衡を補助する熱伝導ガスケットの必要性もない。また、センサに、参照目的のための外部圧力環境へのアクセスを設ける必要もない、というのも、参照は、真空参照の形式でセンサ自体に既に内蔵されているからである。
【０１３７】
図５の実施例では、小型気圧センサ５１０は、流路壁５２２の内部に取り付けられ、任意で、ＰＣＢ５５０を経由して取り付けられる。流路壁５２２は、示されるように、センサ５１０が５３０で示される気流に対する乱れを低減するように位置された凹部５２３を備えてよい。例えば、このような凹部５２３の深さは、センサ５１０の厚さに実質的に等しくてよく、センサポート５１１を備えるセンサの表面が、センサ５１０のどちらかの側で流路壁５２２の内側面の一部と同一平面上になる。凹部５２３は、壁５２２から除去された体積や、示されるように、残りの部分に対して径方向外方へのびる壁の一部でよい。
【０１３８】
小型圧力センサは、その小さいサイズゆえに、例えばｐＭＤＩｓ、ジェット噴霧吸入器、またはＤＰＩｓを通じた患者の流れを監視するために用いることができ、したがって、アドヒアランス監視に加えて／代えて、低コストなコンプライアンス監視を容易にし、装置の作動を確認する。前記コンプライアンス監視は、観測される気道への小さい穴を通じて、または、観測される気道と流体連通するキャピラリーチューブを通じて投与装置に、または投与装置自体内に連結する付属の装置を用いて実施されてよい。ＭＥＭＳセンサの小さいサイズ、高いパフォーマンス、および低コストは、それらを、サイズおよび重量が常に吸入器を持ち運ばなければならないであろうユーザにとって主要な動機となるアプリケーションに理想的に適したものにする。小型圧力センサからの出力がデジタルであるなら、すべての低レベル信号処理は、センサ内でなされてよく、それを外部干渉から遮蔽する。これは、外部回路を有する従来のセンサで挑戦されていたであろうことを、数十オーダーのパスカルの信号で難なくできるようにする。
【０１３９】
図６は、一例に係るＭＥＭＳ気圧センサのいくつかの電気構成要素を概略的に示す。検出素子６０１が、アナログ信号を、アナログデジタルコンバータ（ＡＤＣ）６０２に送る。ＡＤＣ６０２のデジタル出力信号は、それから、ノイズを低減するために、ローリング平均フィルタによって多くのサイクルに渡って平均化される。様々な平均が、応答時間に対してノイズのバランスをとるために、プログラムコントロール下で選択されてよい。
【０１４０】
一例として、ブロック６０３は、６０４での出力に対する８つの異なるオーバーサンプル（即ちフィルタ）比のうち１つを選択する手段を表す。最も早い応答は、ＯＳＲ＝１に対応するが、これはまた最もノイズがある設定である。反対に、ＯＳＲ＝１２８は、最も小さいノイズを導入するが、最も遅い応答を有する。最適な設定は、特定の用途に応じて選択されてよい。１６のＯＳＲ設定であれば、出力は、ほとんどの呼吸器系の用途に対して、十分にクリーンであり、アップデートタイムは十分素早い。
【０１４１】
例えば患者の流れプロファイルを記録するために、センサによって検出された圧力のリアルタイム変動と関連する波形を作ることが望ましい。新しいデータが利用可能になる度に、このような波形をセンサの単一の測定値から作成すると、各タップと関連する遅延により、結果として得られる波形は、なめらかな波形というよりは、むらのあるアーチファクトを示すであろう。しかしながら、ＡＤＣ６０２を、例えば約１００Ｈｚといった、適切な周波数で駆動し、そして、同じ速度でデータを読み取ることによって、各タップに示されるデータは、さらに平均化され、その結果、よりいっそうなめらかな波形となる。
【０１４２】
それから、平均出力は、データが装置内に組み込まれ接続されたプロセッサよって処理されうるまで、または、オフロード処理のために送信されうるまでの格納のためのサーキュラー先入れ先出し（ＦＩＦＯ）バッファ（図示略）へ送られてよい。このようなＦＩＦＯバッファは、例えば、１つの典型的な呼吸波形とほぼ同じまたはこれより僅かに大きな複数のサンプルを格納し、１つの吸入／吐出プロファイル全体がキャプチャーされることを保障するようにしてよい。波形がリアルタイムで必要とされない場合、バッファを使用することで、センサのシリアルポートの需要が減少する。
【０１４３】
通信の付加により、患者のアドヒアランスおよびコンプライアンスを監視し、このような情報を、例えば患者の流れプロファイルを含むような情報を、スマートフォンまたはタブレットのようなユーザ装置へ通信することができる。ユーザ装置から、データは、任意で、例えば医者のパーソナルコンピュータ（ＰＣ）のような世話人の装置へ通信されてよい。これは、例えばユニバーサルシリアルバス（ＵＳＢ）ポートを経由するといったように、有線接続を用いてなされてもよい。代わりに、無線技術を用いて、製品のハウジングを著しい方法で干渉することなく、結果を外部へ通信することができる。適切な無線技術は、例えば、ＩＥＥＥ８０２．１１のようなＷｉＦｉ技術、ＩＥＥＥ８０２．１５のようなメディカルボディエリアネットワーク（ＭＢＡＮ）技術、近距離無線通信（ＮＦＣ）技術、３Ｇのような携帯技術、および、Ｂｌｕｅｔｏｏｔｈ（登録商標） Ｌｏｗ Ｅｎｅｒｇｙ（ＢＬＥ）のようなＢｌｕｅｔｏｏｔｈ（登録商標）技術でよい。無線トランシーバが、例えばＢＬＥチップの形式で、小型圧力センサに接続され、または、それに組み込まれてもよい。
【０１４４】
前記無線の接続性は、例えば、装置の作動及び／又は検出された吸入を、リアルタイムで、日付およびタイムスタンプと共に報告するために、用いられてよい。このデータは、外部で処理されてよく、当該処理の結果が、患者が十分にコンプライアンスに準拠していない、または、処方箋が再提出されるべきであると判定されたものであるなら、アラートが、患者、及び／又は、世話人、及び／又は、薬剤師へ送られてよい。アラートは、１または複数の吸入器のインターフェース（例えばＬＥＤ及び／又はブザー）を経由して、または、テキストメッセージまたはＥメールを経由して、提供されてよい。他の例として、投与（投薬）レポートが、予定された投与時刻後、所定の期間内に受けられてないなら、リマインダが、患者及び／又は世話人へ送られてよい。アラートは、例えば使用頻度が安全閾値を越えているときに、発生されるようにしてもよい。
【０１４５】
コンプランスは、患者のまたは世話人（例えば医者、看護師、薬剤師、家族メンバー、介護人）のユーザ装置（例えばスマートフォンのような携帯電話、タブレット、ラップトップ、デスクトップコンピュータ）、または、例えばヘルスサービスプロバイダーの、吸入器の製造業者の、薬の製造業者の、または、ディストリビュータのサーバ、または、クラウドストレージシステムのうち、１または複数と直接的または間接的に通信してよい。当該通信は、インターネットのようなネットワークを経由するものであってよく、例えば患者のスマートフォン上の専用アプリを伴うものでよい。
【０１４６】
コンプライアンス監視手段（例えば、機械式スイッチのような装置作動センサ、装置が効果的に投与のために適切な配向にあるかを検出する加速度計またはジャイロスコープのような配向センサ、適切な用量送達ために十分な流れを検出する小型圧力センサといった１または複数のセンサ）、及び、コンプライアンスレポート手段（例えば無線トランスミッタまたは有線出力ポート）は、単一のモジュール内に含まれてよい。このモジュールは、既存の設計の吸入器又はわずかに修正された設計の吸入器へのアタッチメント用の個別の吸入器の付属品／アップグレート品として売られてよい。代わりに、コンプライアンス監視モジュールは、製造中に吸入器に組み込まれてよい。コンプライアンス監視モジュールの全ての構成要素が、単一の物理ユニットに備えられている必要はないが、これは場合による（例えば、電子部品が全て単一のＰＣＢに取り付けられ、または、単一の集積回路内に組み込まれる場合はある）。吸入器の付属品の形式の場合、モジュールは１または複数の取り付け可能なユニットからなってよい。吸入器に組み込まれたモジュールの場合、個々の構成要素は、吸入器内または吸入器上の任意の適切な箇所に位置されてよく、そして、一緒にグループ化されるまたはそれらが機能するために必要とされる以上に接続される必要はない。
【０１４７】
センサは、有線のまたは無線の手段によって、プロセッサおよびトランスミッタと通信してよい。例えば、これら３つの全てが単一のＰＣＢに取り付けられているなら、小型圧力センサのセンサポートは、通気穴によって流路に直接的に通気連結されてよく、または、キャピラリーチューブによって間接的に連結されてよい。（もし、キャピラリーチューブが用いられるなら、圧力伝達シールは、チューブの流路端を閉じて、薬及び／又は水分が、チューブ内に侵入すること、圧力センサを損傷させること、チューブを詰まらせること、または、装置の衛生に影響を及ぼすことを防止する。）代わりに、小型圧力センサは、流路自体内に位置されて、吸入器内のまたは吸入器上の他のパーツ上に位置された１または複数の他のコンプライアンスモジュールの構成要素と無線で通信してよい。電子部品の小型化により、コンプライアンスモジュール全体を、流れを遮ることなく、流路内に位置させることができる。
【０１４８】
コンプライアンス監視モジュールは、例えば、米国特許番号６，４４６，６２７または米国特許出願公開番号１３／１１０，５３２に記載されたｐＭＤＩｓのタイプに用いられてよい。これらの吸入器は、アドヒアランスを監視するために用量カウンタ（ドーズカウンタ）を備える。例えば、米国２０１１／０２８９９７において、残りの用量の数を示す番号が付されたスプールリボンが、駆動されて、キャニスタの移動により作動されるアクチュエータ歯止めによって順次駆動されるラチェットホイールによって巻き出される。
【０１４９】
しかしながら、これらの吸入器は、１用量が首尾よく投与されたかを判定する手段を全く備えていない。吸入器を通じた気流経路中のどこかに、または、気流経路と流体連通するどこかに小型気圧センサを追加することで、コンプライアンス監視が可能となる。というのも、このような小型センサは、患者が適切な方法で（例えば、十分に強くそして十分長く）吸入して１回分の完全な用量の薬剤を受けたか否かを示す十分なデータを収集することができるからである。この情報は、用量カウンタ機構から生じる信号と組み合わされて、１用量が首尾よく投与されたことを確認するのに十分なものになる。
【０１５０】
信号は、任意の便利な方法で、用量カウンタシステムから得られてよい。例えば、電子式スイッチが設けられて、それが歯止めの動作またはスプールの回転によって作動されてもよい。このスイッチは、プロセッサの入力に接続されて、１用量が計量されたとき、プロセッサが電子パルスを受けるようにしてよい。用量のカウントは、電子的に利用することができるので、リボンが省略されてよい。
【０１５１】
図７−図１０は、どのようにしてコンプライアンスモジュールがｐＭＤＩに組み込まれうるかの詳細をさらに示す。図７及び図８は、どのようにしてコンプライアンスモジュールが既存のｐＭＤＩにいかなる修正もなしに付加されうるのかを、そして、それによって附属パック／アップグレードパックとして、ｐＤＭＩ自体から分離して提供されうるかを示す。図９及び図１０は、どのようにしてコンプライアンスモジュールがいくらかのマイナーな修正でｐＭＤＩｓに組み込まれうるかを示す。
【０１５２】
図７は、コンプライアンスモジュール７１０がｐＭＤＩ７００に留められた一例を示す。ｐＭＤＩ７００は、ブーツ７３０内に受けられたキャニスタ７２０を備える。コンプライアンスモジュールのへり７１１が、ブーツの壁の上端に渡り、ブーツの壁とキャニスタとのラジアル隙間に引っ掛かっている。コンプライアンスモジュールは、それによって、吸入器に対して何ら修正することなく、吸入器上に留められる。
【０１５３】
矢印Ａは、ユーザがマウスピース７４０を通じて吸入したときの気流を示す。空気が、キャニスタとブーツとのラジアル隙間を流れ落ち、装置の作動時にノズル７２１から噴射されたエアロゾルを取り込み、そして、マウスピース７４０を通じてユーザの口内へ出て行く。コンプライアンスモジュール内のＭＥＭＳ圧力センサ７１２は、ブーツとキャニスタとのラジアル隙間によって形成された流路に、キャピラリーチューブ７１３によって通気連結されている。キャピラリーチューブは、へりの外壁のラインに沿って隙間に回り込むが、へりの底面の手前で止まる。これは、ヘリが、下方からの、即ちブーツ内の空気を除くキャピラリーチューブへの全ての空気を遮断することを保障する。別の配置では、へりは、管材が必要ない程に十分な流体隔離を提供するように形作られかつ位置決めされてよい。
【０１５４】
別の配置が図８に示されており、コンプライアンスモジュール８１０は、カバー８１５の下側に付された（ＭＥＭＳ圧力センサを含む）電子機器ユニット８１４を備える。この全てが、ｐＭＤＩ８００に上方からかぶせられ、ブーツ８３０の上部とキャニスタ８２０の露出部分を囲む。コンプライアンスモジュールが定位置にあり、ダストキャップ８５０が外されていれば、ユーザがマウスピース８４０を通じて吸入したとき、空気が、カバー８１５とブーツ８３０との隙間を通り、ＭＥＭＳ圧力センサを含む電子機器ユニット８１４を通過し、ブーツとキャニスタとのラジアル隙間を流れ落ち、装置の作動時に、キャニスタのノズルから噴射されたエアロゾルを取り込み、そして、マウスピース８４０を通じてユーザの口内へ出て行く。
【０１５５】
図９Ａは、一例に係るｐＭＤＩ９００の部分分解図であり、ｐＭＤＩは、ブーツ９３０の底に組み込まれたコンプライアンスモジュール９１０を備える。図９Ｂおよび図９Ｃは、装置の作動前および作動中のそれぞれのブーツの底部の内部図である。コンプライアンスモジュール９１０は、ＭＥＭＳ圧力センサ９１２、機械式クリックドームスイッチ９１６、および、ＰＣＢ９１８に取り付けられ、コイン型バッテリ９１９によって電力の供給を受けるプロセッサ（例えば、マイクロコントローラユニット、ＭＣＵ）９１７を備える。装置の作動前に、上部クリックドーム表面の上方に隙間がある。装置の作動中に、キャニスタ９２０は、ブーツ９３０内にさらに押し下げられる。キャニスタ９２０の底に付けられたスプリングアーム９６０も、結果的に、下方に移動し、クリックドーム９１６の上面に押し下がり、スイッチを作動させる。これにより、作動パルス信号はＭＣＵへ送られる。この信号は、患者のアドヒアランスを測定するために用いられてよく、一方、圧力センサからＭＣＵへの信号はコンプライアンスを測定するために用いられてよい。吸入器が使用前に必要に応じて振られたかを示すコンプライアンスデータを提供するために、加速度計（例えば３軸加速度計）が、ＰＣＢに備えられ、ＭＣＵに接続されてもよい。加速度計は、また、吸入器が適切な装填の要求に応じて直立に保持されているかを判定するために、計量チャンバへの一回分の用量の装填中における吸入器の配向を検出するために用いられてもよい。クリックドームスイッチは、バッテリを、圧力センサに接続するものとして機能させてもよく、若しくは、加速度計がないのであれば、バッテリをＰＣＢ全体に接続するものとして機能させてもよい。これは、バッテリ電力を、それが必要とされるときだけのために節約する。サーミスタは、ＰＣＢ上に備えられてもよく、薬のエアロゾル化の完了に関連する温度降下が生じているかを示すことにより、コンプライアンスデータをさらに提供する。
【０１５６】
コンプライアンスモジュールは、代わりに、図１０に示される通り、“バックパック”として備えられてよい。コンプライアンスモジュール１０１０は、ブーツ１０３０の外部に付けられている。ブーツ１０３０の穴は、ＭＥＭＳ圧力センサ１０１２のポートと、ブーツ１０３０およびキャニスタ１０２０のラジアル隙間に形成された流路との間の流体連通を提供する。リニアポテンショメーター１０７０のスライドコンタクト１０７１は、キャニスタに付けられて、キャニスタと共に上方および下方に移動する。コンタクト１０７１は、ブーツ１０３０のスリット内をスライドする。ポテンショメータからの信号は、装置が作動されたとき、および、それがどれだけの時間作動されているかを示す。ポテンショメータは、コイン型バッテリ１０１９をＰＣＢ１０１８へ接続するスイッチとして機能してもよく、その結果、ＰＣＢは装置が作動されているときだけ電力供給される。コンタクト１０７１がスライドするスリットは、流路とＭＥＭＳ圧力センサとの間の流体連通を提供してもよい。
【０１５７】
コンプライアンス監視モジュールは、ジェット噴霧吸入器に用いられてもよい。図１１は、これがどのように達成されうるかを示す。ＭＥＭＳ圧力センサ１１１２を備えるコンプライアンスモジュール１１１０は、ジェット噴霧吸入器１１００の外部に付けられている。圧力センサのセンサポートは、キャピラリーチューブ１１１３によって、噴霧吸入器の内部と連通する。チューブの末端は、のび下がってバッフル１１２０に通される。バッフル１１２０は、（圧縮空気入口１１３１によって供給される）ノズル１１３０によって放出された大きなエアロゾル液滴を、マウスピース１１４０に存在し患者の気道へ向かう液滴が均一なサイズになるように反射させる平板である。キャピラリーチューブの端をバッフルの下方に位置させていることで、エアロゾル液滴がチューブ内に侵入することが防止され；リザーバ１１５０からの液状薬剤がその中にまでに飛び上がる程に噴霧吸入器のハンドセットが振られないのであれば、チューブの内部はかなり乾燥したままのはずである。
【０１５８】
バッフルは、穴があけられているので、それより大きいまたは小さい圧力は等しくなり、圧力センサはマウスピース１１４０内の圧力を効果的に測定する。マウスピース内の気流は、矢印Ａによって示され、通気穴を通じたユーザの吸入によって引き込まれる流れ、および、ノズルによって放出される流れを備える。したがって、マウスピース内の圧力を監視することで、患者の吸入についての情報、および、コンプレッサ、液薬の液位などについての情報の双方を提供することができる。これは、患者へのフィードバックを可能にし、治療が完了したこと、または、リザーバが空であることを示すことができる。長い治療時間（典型的には１０分オーダー）、および、コンプレッサおよびハンドセットによりもたらされる高いノイズレベルは、ユーザが治療が完了したときを知るのを困難にせしめるので、患者のアドヒアランスは、ジェット噴霧吸入器ではしばしば乏しい。したがって、コンプライアンス監視モジュールの使用は、アドヒアランスを改善しうる。圧力センサは、ポンプ機能を検査するために用いられ、ポンプによって作られる大きな脈動の１つが検出されたときに、コンプライアンスモジュールの残りを立ち上げるスイッチとして用いられてもよい。
【０１５９】
加速度計は、コンプライアンス監視モジュールに含まれてもよい。十分なコンプライアンスのために、あるジェット噴霧吸入器は、マウスピース内で凝集されてリザーバへ戻る液滴を振るために、ユーザがハンドセットをタップすることを要求する。加速度計は、このタップを検出してよい。加速度計は、コンプレッサによりもたらされる振動を検出して、それが使用中であることを確認してもよい。
【０１６０】
ドライパウダー吸入器も、コンプライアンス監視モジュールの追加から利益を受けうる。一例に係るＤＰＩ１２００は、これに取り付けられたコンプライアンスモジュール１２１０を含んでおり、図１２に示されている。患者の気流は、ここでもまた矢印Ａによって示される。それは、吸入器本体内の通気口を通過し、薬剤カプセル１２３０（前もって穴があけられている）を含む投与チャンバ１２２０を通過し、それから、マウスピース１２４０を通って出る。コンプライアンスモジュールは、キャピラリーチューブ１２１３を経由して投与チャンバと流体連通するセンサポートを含むＭＥＭＳ圧力センサ１２１２を備える。加速度計またはマイクロフォンは、吸入中にチャンバ１２２０内でカプセル１２３０の移動によって発生される構造伝達振動を検出するように備えられてよい。コンプライアンスデータをコンプライアンスモジュールのプロセッサへフィードバックする機械式スイッチは、カプセル１２３０を開けることによって吸入器を使用できるように準備するピアスまたはピーリング機構（図示略）によって作動されてよい。
【０１６１】
ＭＥＭＳ気圧センサは、経時的に変化しうる環境気圧に応答するので、後に続くセンサ出力信号分析が基準とする最初の測定値に注意を払うべきことに、留意すべきである。自動ゼロ値・ゼロリーディング（即ち風袋）は、吸入信号を監視する直前に実施されてよい。この値を局所の環境気圧の変化に応答して経時的に変化させることもできるが、治療が数分内に完了されるのであれば、問題を生じさせるようなことは望まれないであろう。代わりに、第２の気圧計チップが気圧の活動の経過を記録するために用いられてよく、これにより、第１のチップを呼吸検出のためにもっぱら使用することができる。
【０１６２】
ジェット噴霧吸入器では、投与が完了する（即ち肺の体積がピークになる）点は、流れの方向が反転する点に対応する。したがって、圧力センサからのデータが、流れの方向が反転したことを示すとき、プロセッサは、投与が完了したと判定を下してよい。
【０１６３】
全ての処理が、モジュールによってなされる必要はない。任意のまたは全ての処理が外部データ処理装置へオフロードされてよい。無線方式（例えばＢＬＥモジュールを含む）が、患者の流れプロファイルを、その後に特定の呼吸パラメータを計算するアプリへ送信するために用いられてよい。吸入器は、それによって、このようなタスクのために必要とされる処理を、例えばスマートフォンプロセッサにオフロードしてよい。これは、吸入器にとってふさわしい最小のフォームファクターを容易にするであろう。このアプローチのさらなる利点は、スマートフォンを動かすソフトウェアが吸入器を動かすソフトウェアより、より容易に変化させることができることにある。
【０１６４】
図１３は、一例に係るコンプライアンス監視方法を示すフローチャートを示す。ステップ１３１０で、プロセッサは、吸入器が非アクティブモードからアクティブモードに変化したことを示すモードセンサからのデータを受信する。ステップ１３２０で、プロセッサは、小型圧力センサの検出素子からデータを受信し、前記センサのセンサポートは、ユーザが吸入するための前記吸入器の流路に通気連結されるように構成されている。ステップ１３３０で、プロセッサは、コンプライアンスレポートを編集するために、モードセンサおよび圧力センサからのデータを処理する。ステップ１３４０で、プロセッサは、コンプライアンスレポートをトランスミッタに送り、トランスミッタによってそれが発せられる。
【０１６５】
図１４Ａおよび１４Ｂは、１０個の異なる吸入器のケーシングの上部に付けられた小型相対圧力センサを用いて測定された平均圧力を、装置を通じて適用された一連の空気流量に対して示す。繰り返しの測定値は、各吸入器の寿命の初期、中期、および最期に対するものが含まれていた（用量が不足する前の“ショット”の回数を通じた進捗の観点で）。図１４Ａでは、エラーバーは、±３シグマ変動で示される。図１４Ｂでは、エラーバーは、±２シグマ変動で示され、９５％の吸入器が該当する帯域をキャプチャーしている。したがって、圧力測定に対する流れの不確実性の考えを、吸入器中で用いられるこのようなセンサによって得ることができる。
【０１６６】
典型的な吸入流量（３０−６０ｌ／ｍｉｎ）において、不確実性は、図１４Ａから、〜１６ｌ／ｍｉｎとして計算することができる。（各測定における流量の不確実性は、その測定値における上側のエラーバーと、当該測定値における下側のエラーバーおよびその次のそれとを結ぶ線が測定された圧力に達する点との流れ軸の差分として見積られる。即ち、３０ｌ／ｍｉｎでは、差分は、４１ｌ／ｍｉｎ−３０ｌ／ｍｉｎ＝１１ｌ／ｍｉｎである。４５ｌ／ｍｉｎでは、差分は、１５ｌ／ｍｉｎであり、６０ｌ／ｍｉｎでは、それは２２ｌ／ｍｉｎである。）図１４Ｂから得られる同等の値は、〜１０ｌ／ｍｉｎである。よって、十分な精度を得ることができ、有益なコンプライアンスデータを提供できる。
【０１６７】
上記は、本発明の例示に係る用途に関するものであり、他の実施形態および変形が可能であることが理解されよう。
【０１６８】
加えて、当業者は、装置の特定の特徴における特定の幾何学形状および配置を修正または変更させることができる。他の変形および修正も、当業者にとって自明である。当該変形および修正は、既に知られ、かつ、ここで記載された特徴に代えてまたは加えて用いられうる同等のおよび他の特徴を含むことができる。それぞれの実施形態で関連して記載された特徴は、単一の実施形態にて組合せで備えられてよい。逆に、単一の実施形態で関連して記載された複数の特徴は、別々に、または、適切な部分的組合せで備えられてもよい。
【図１】
2020185408.tif 000003
【図２】
2020185408.tif 000004
【図３】
2020185408.tif 000005
【図４】
2020185408.tif 000006
【図５】
2020185408.tif 000007
【図６】
2020185408.tif 000008
【図７】
2020185408.tif 000009
【図８】
2020185408.tif 000010
【図９Ａ】
2020185408.tif 000011
【図９Ｂ】
2020185408.tif 000012
【図９Ｃ】
2020185408.tif 000013
【図１０Ａ】
2020185408.tif 000014
【図１０Ｂ】
2020185408.tif 000015
【図１１】
2020185408.tif 000016
【図１２】
2020185408.tif 000017
【図１３】
2020185408.tif 000018
【図１４】
2020185408.tif 000019
【外国語明細書】
2020185408000001.pdf